(57)【要約】【課題】排水溝の開放上面を覆う蓋本体と、その蓋本体の左右両側縁に沿設されて排水溝開口縁部上面にゴムパッキンを介して載置される左右一対の側壁部とを備える溝蓋において、ゴムパッキンを幅狭、小型に形成できて材料コストを節減し、また掃除中にゴムパッキンが傷付いたり剥がれたりするのを防止する。【解決手段】側壁部Ｔｓが、それの長手方向に沿う方向を押出し方向又は引抜き方向としたアルミ材に対する押出し成形又は引抜き成形により成形され、側壁部Ｔｓには、側壁部Ｔｓの下面に開口し且つその開口部Ｇｏが内部空間Ｇｃよりも幅狭であるパッキン溝Ｇが、押出し成形又は引抜き成形により形成され、ゴムパッキンＳは、パッキン溝Ｇに挿着されるパッキン基部Ｓａと、そのパッキン基部Ｓａの下端に連設されて側壁部Ｔｓよりも下方に張出すパッキン先部Ｓｂとを備える。【選択図】図３
2011157756.tif 000002
【特許請求の範囲】
【請求項１】
排水溝（Ｐ）の開放上面（Ｏ）を覆う蓋本体（Ｔｍ）と、その蓋本体（Ｔｍ）の左右両側縁にそれぞれ沿設されて排水溝（Ｐ）の幅方向両側の開口縁部（１ｅ）上面にゴムパッキン（Ｓ）を介してそれぞれ載置される左右一対の側壁部（Ｔｓ）とを備え、排水溝（Ｐ）の開放上面（Ｏ）を開閉可能である溝蓋において、
少なくとも前記側壁部（Ｔｓ）が、該側壁部（Ｔｓ）の長手方向に沿う方向を押出し方向又は引抜き方向とした押出し成形又は引抜き成形により成形され、
前記側壁部（Ｔｓ）には、該側壁部（Ｔｓ）の下面に開口し且つその開口部（Ｇｏ）が内部空間（Ｇｃ）よりも幅狭であるパッキン溝（Ｇ）が、前記押出し成形又は引抜き成形により形成され、
前記ゴムパッキン（Ｓ）は、前記パッキン溝（Ｇ）に挿着されるパッキン基部（Ｓａ）と、そのパッキン基部（Ｓａ）の下端に連設されて前記側壁部（Ｔｓ）よりも下方に張出すパッキン先部（Ｓｂ）とを備え、
そのパッキン先部（Ｓｂ）が前記排水溝（Ｐ）の開口縁部（１ｅ）上面に載置可能であることを特徴とする溝蓋。
【請求項２】
請求項１に記載の溝蓋（Ｔ）と、その溝蓋（Ｔ）により開放上面（Ｏ）が開閉可能に閉じられる排水溝（Ｐ）とよりなる排水溝装置であって、
前記溝蓋（Ｔ）は全体がアルミ製又はアルミ合金製であり、前記排水溝（Ｐ）が、横断面Ｕ字状に形成されて設置面（Ｆ）に埋設されるステンレス製の溝本体（１）で構成され、その溝本体（１）の幅方向両側の開口縁部（１ｅ）には、前記溝蓋（Ｔ）の前記左右一対の側壁部（Ｔｓ）の下面を前記パッキン先部（Ｓｂ）を介して載置させる蓋載せ段部（Ｄ）がそれぞれ形成され、該パッキン先部（Ｓｂ）により前記蓋載せ段部（Ｄ）と溝蓋（Ｔ）との直接接触が阻止されるようにしたことを特徴とする、排水溝装置。
【発明の詳細な説明】
【技術分野】
【０００１】
本発明は、溝蓋、特に排水溝の開放上面を覆う蓋本体と、その蓋本体の左右両側縁にそれぞれ沿設されて排水溝の幅方向両側の開口縁部上面にゴムパッキンを介してそれぞれ載置される左右一対の側壁部とを備え、排水溝の開放上面を開閉可能である溝蓋、並びにその溝蓋を用いた排水溝装置に関する。
【背景技術】
【０００２】
従来、排水溝の開放上面を塞ぐ溝蓋において、該蓋の左右側壁部と排水溝の開口縁部との間に介在させるゴムパッキンをシート状に形成して、排水溝の開口縁部（例えばその開口縁部に設けた蓋載せ段部上面）に係止、固定させるものが知られており（例えば、特許文献１を参照）、このようなゴムパッキンは、溝蓋を弾性支持できるため、溝蓋をガタつかせずに安定支持できる利点がある。
【先行技術文献】
【特許文献】
【０００３】
【特許文献１】特開２００４−３００７００号公報
【発明の概要】
【発明が解決しようとする課題】
【０００４】
ところが上記ゴムパッキンが固定される排水溝の開口縁部には塵埃等が滞留し易いため、その開口縁部に設けられる蓋載せ段部の上面（蓋載せ面）をゴムパッキンで覆う場合には、その蓋載せ面に塵埃が溜まり易い段差ができないように、蓋載せ面全面をゴムパッキンで覆う必要がある。このため、そのゴムパッキンを比較的幅広、大型のシート状に形成しなければならず、それだけゴムパッキンが幅広となって材料コストが嵩み、また交換作業も面倒なものとなる等の不都合がある。また、溝蓋を開けた状態では、上記蓋載せ段部の上面にゴムパッキンが剥き出しとなるため、ゴムパッキンが汚れ易く、また溝掃除の際にゴムパッキンが傷付いたり外れたりし易い問題もある。
【０００５】
本発明は、上記に鑑み提案されたものであり、従来の上記問題を解決した構造簡単な溝蓋及び排水溝装置を提供することを目的とする。
【課題を解決するための手段】
【０００６】
上記目的を達成するために、請求項１の発明は、排水溝の開放上面を覆う蓋本体と、その蓋本体の左右両側縁にそれぞれ沿設されて排水溝の幅方向両側の開口縁部上面にゴムパッキンを介してそれぞれ載置される左右一対の側壁部とを備え、排水溝の開放上面を開閉可能である溝蓋において、少なくとも前記側壁部が、該側壁部の長手方向に沿う方向を押出し方向又は引抜き方向とした押出し成形又は引抜き成形により成形され、前記側壁部には、該側壁部の下面に開口し且つその開口部が内部空間よりも幅狭であるパッキン溝が、前記押出し成形又は引抜き成形により形成され、前記ゴムパッキンは、前記パッキン溝に挿着されるパッキン基部と、そのパッキン基部の下端に連設されて前記側壁部よりも下方に張出すパッキン先部とを備え、そのパッキン先部が前記排水溝の開口縁部上面に載置可能であることを特徴とする。
【０００７】
また請求項２の発明は、前記請求項１に記載の溝蓋と、その溝蓋により開放上面が開閉可能に閉じられる排水溝とよりなる排水溝装置であって、前記溝蓋は全体がアルミ製又はアルミ合金製であり、前記溝が、横断面Ｕ字状に形成されて床面に埋設されるステンレス製の溝本体で構成され、その溝本体の幅方向両側の開口縁部には、前記溝蓋の前記左右一対の側壁部の下面を前記パッキン先部を介して載置させる蓋載せ段部がそれぞれ形成され、該パッキン先部により前記蓋載せ段部と溝蓋との直接接触が阻止されるようにしたことを特徴とする。
【発明の効果】
【０００８】
本発明によれば、溝蓋の少なくとも左右の側壁部が、その長手方向に沿う方向を押出し方向又は引抜き方向とした押出し成形又は引抜き成形により成形され、この側壁部には、該側壁部の下面に開口し且つその開口部が内部空間よりも幅狭であるパッキン溝が、前記押出し成形又は引抜き成形により形成され、排水溝の開口縁部上面と溝蓋との間に介装するゴムパッキンが、パッキン溝に挿着されるパッキン基部と、そのパッキン基部の下端に連設されて側壁部より下方に張出すパッキン先部とを備え、そのパッキン先部が排水溝の開口縁部上面に載置可能であるので、ゴムパッキンは、溝蓋側に装着されることとなり、従って、蓋載せ面となる排水溝の開口縁部上面をゴムパッキンで全面被覆する必要もなく、それだけゴムパッキンを幅狭、小型に形成できて、取り扱いが簡便となるばかりか材料コストも節減できる。また溝蓋を開けた状態では、排水溝の開口縁部上面を全部露出させて掃除を行い易くし、しかも掃除中にゴムパッキンが傷付いたり剥がれたりする心配はなくなる。
【０００９】
また特に請求項２の発明によれば、溝蓋全体がアルミ製又はアルミ合金製であり、また排水溝が、横断面Ｕ字状に形成されて床面に埋設されるステンレス製の溝本体で構成され、その溝本体の幅方向両側の開口縁部には、前記溝蓋の前記左右一対の側壁部の下面を前記パッキン先部を介して載置させる蓋載せ段部がそれぞれ形成され、該パッキン先部により前記蓋載せ段部と溝蓋との直接接触が阻止されるので、溝蓋はその全体がアルミ製又はアルミ合金製となって大幅な軽量化が図られ、開閉作業が頗る容易となる。また溝本体はステンレス製として排水溝の耐久性を高めることができ、また異種金属となる溝本体と溝蓋との直接接触を、小型のゴムパッキンで回避できるため、電位差による腐食（即ち電食）を防止できる。
【図面の簡単な説明】
【００１０】
【図１】本発明の一実施例に係る排水溝装置を示す全体平面図
【図２】前記排水溝装置の横断面図（図１の２−２線拡大断面図）
【図３】溝蓋へのゴムパッキンの取付状態を示す要部拡大断面図（図２の３矢視部拡大断面図）
【発明を実施するための形態】
【００１１】
以下、本発明の実施の形態について、添付の図面を参照しながら説明する。
【００１２】
先ず、図１，２において、設置面としての建物の厨房等の床面Ｆには、直線状に延びる排水溝Ｐが凹設されており、その排水溝Ｐと、その排水溝Ｐの開放上面Ｏを開閉可能に塞ぐ溝蓋Ｔとにより排水溝装置が構成される。
【００１３】
前記排水溝Ｐは、横断面Ｕ字状に形成されて床面Ｆに一体的に埋設されるステンレス製の溝本体１で構成されており、その溝本体１の幅方向両側の開口縁部１ｅには、床面Ｆより一段（即ち溝蓋Ｔの厚み分だけ）凹ませて蓋載せ段部Ｄがそれぞれ形成され、その蓋載せ段部Ｄの水平な上面が蓋載せ面Ｄｆとなる。
【００１４】
前記溝蓋Ｔは、排水溝Ｐの開放上面Ｏを覆う蓋本体Ｔｍと、その蓋本体Ｔｍの左右両側縁にそれぞれ沿設される左右一対の側壁部Ｔｓとより構成され、それら蓋本体Ｔｍおよび側壁部Ｔｓは何れもアルミ製である。左右の側壁部Ｔｓの下面は、排水溝Ｐの開口縁部１ｅの蓋載せ面ＤｆにゴムパッキンＳを介してそれぞれ載置、支持される。このように蓋載せ面Ｄｆに溝蓋Ｔを載せた状態で、溝蓋Ｔの上面は、床面Ｆと面一となっていて床面の一部を構成する。
【００１５】
蓋本体Ｔｍは、従来周知のグレーチングと呼ばれる溝蓋と同様、所定間隔をおいて並列する複数の横バー２と、同じく所定間隔をおいて並列する複数の縦バー３とをカシメ手段或いは溶接手段等の結合手段を適宜用いて格子状に枠組みした平面視で矩形の枠体より構成される。そして横バー２相互間のスリットや、縦バー３相互間のスリットを通して水の通過が可能であり、また排水溝Ｐ内が溝蓋Ｔの上方より覗けるようになっている。
【００１６】
また溝蓋Ｔの左右の側壁部Ｔｓは、該側壁部Ｔｓの長手方向に沿う方向を押出し方向又は引抜き方向としたアルミ材に対する押出し成形又は引抜き成形により横断面矩形状に成形される。そして、この側壁部Ｔｓの底壁には、その底壁下面に開口し且つ開口部Ｇｏが内部空間Ｇｃよりも幅狭であるパッキン溝Ｇが、前記押出し成形又は引抜き成形と同時に該側壁部Ｔｓの長手方向に沿って直線状に形成される。
【００１７】
また、前記側壁部ＴＳの内側壁と蓋本体Ｔｍの外側部との間は、溶接、カシメ又はネジ止め等の適宜の固着手段により結合される。図示例では、蓋本体Ｔｍ（特に横バー２）の外側部に一体に連設した係止鉤部２ａを側壁部ＴＳの内側壁に形成した係止孔１０に係止させた後、該係止鉤部２ａの自由端側をかしめることで側壁部ＴＳが蓋本体Ｔｍに固着される。
【００１８】
前記ゴムパッキンＳは、パッキン溝Ｇに挿着されるパッキン基部Ｓａと、そのパッキン基部Ｓａの下端に一体に連設されて側壁部Ｔｓの下面よりも下方に若干張出すパッキン先部Ｓｂとを備える。そのパッキン基部Ｓａとパッキン先部Ｓｂとの接続部には、パッキン溝Ｇの幅狭の前記開口部Ｇｏに対応した括れ部Ｓｋが形成される。
【００１９】
前記パッキン先部Ｓｂは、パッキン溝Ｇの開口部Ｇｏよりも幅広のシート状に形成されており、そのパッキン先部Ｓｂのフラットな下面が排水溝Ｐの開口縁部１ｅ上面、即ち蓋載せ面Ｄｆに載置され、このようにして蓋載せ面Ｄｆと側壁部１ｅの下面との間にパッキン先部Ｓｂを挟むことにより、溝本体１と溝蓋Ｔとの直接接触が阻止されるようになっている。
【００２０】
次の前記実施例の作用について説明する。床面Ｆを伝って排水溝Ｐの開口縁部１ｅまで流れてきた排水は、溝蓋Ｔにおける蓋本体Ｔｍの各バー２…，３…間の隙間を通して排水溝Ｐ内に流れ混み、排水溝Ｐを経て他の適当な排出場所に向かって流動排出される。
【００２１】
ところで溝蓋Ｔは、その全体がアルミ製であるため、鉄製或いはステンレス製のグレーチングと比べ大幅な軽量化が図られ、開閉作業が頗る容易となっている。一方、排水が流動する排水溝Ｐの溝本体１はステンレス製であるため、錆や腐食に強く、排水溝Ｐの耐久性が高められる。しかも溝蓋Ｔの左右の側壁部Ｔｓの下面は、排水溝Ｐの開口縁部１ｅの蓋載せ面ＤｆにゴムパッキンＳを介してそれぞれ載置されているため、溝蓋ＴをゴムパッキンＳを介して弾性支持できて溝蓋Ｔをガタつかせずに安定よく支持可能となるばかりか、異種金属となる溝本体１と溝蓋Ｔとの直接接触を、その間にゴムパッキンＳを介在させることで確実に回避でき、従って、電位差による腐食（即ち電食）を防止可能である。
【００２２】
また図示例では、溝蓋Ｔの左右の側壁部Ｔｓが、その長手方向に沿う方向を押出し方向又は引抜き方向とした押出し成形又は引抜き成形により成形され、この側壁部Ｔｓには、該側壁部Ｔｓの下面に開口し且つその開口部Ｇｏが内部空間Ｇｃよりも幅狭であるパッキン溝Ｇが、前記押出し成形又は引抜き成形と同時に形成されているため、このパッキン溝Ｇを精度よく容易に成形可能となる。
【００２３】
そして、前記ゴムパッキンＳが、パッキン溝Ｇに挿着されるパッキン基部Ｓａと、そのパッキン基部Ｓａの下端に一体に連設されて側壁部Ｔｓより下方に張出すパッキン先部Ｓｂとを備え、そのパッキン先部Ｓｂが排水溝Ｐの開口縁部１ｅの蓋載せ面Ｄｆ上に載置可能となっている。このため、ゴムパッキンえＳは、溝蓋側に一体的に装着されることとなるから、従来のように排水溝Ｐの上記蓋載せ面ＤｆをゴムパッキンＳで全面被覆する必要はなくなり、それだけゴムパッキンＳは幅狭、小型に形成可能となって、取り扱いが簡便となると共に材料コストも節減できる。その上、溝蓋Ｔを開けた状態では、排水溝Ｐの開口縁部１ｅの蓋載せ面Ｄｆを全部露出させて掃除を行い易くでき、また溝蓋Ｔを開けて行われる掃除作業中にゴムパッキンＳが傷付いたり剥がれたりする心配はなくなる。
【００２４】
以上、本発明の実施の形態について説明したが、本発明は上記実施の形態に限定されるものではなく、特許請求の範囲に記載された本発明を逸脱することなく種々の設計変更を行うことが可能である。
【００２５】
例えば、前記実施例では、溝蓋Ｔの左右の各側壁部Ｔｓをアルミ材に対する押出し成形又は引抜き成形で成形するようにしたが、本発明では、各側壁部Ｔｓを含む溝蓋の全体又は主要部分をアルミ材に対する押出し成形又は引抜き成形で成形するようにしてもよい。また請求項１の発明では、側壁部Ｔｓの構成材料はアルミ材に限定されず、押出し成形又は引抜き成形が可能なアルミ合金、或いは強化合成樹脂材であってもよい。
【００２６】
また前記実施例では、排水溝Ｐを建物の厨房等の床面Ｆに凹設したものを示したが、本発明では、排水溝を屋外の歩行面や路面に凹設してもよい。
【符号の説明】
【００２７】
Ｄ・・・・蓋載せ段部
Ｆ・・・・設置面としての床面
Ｇ・・・・パッキン溝
Ｇｃ・・・パッキン溝の内部空間
Ｇｏ・・・パッキン溝の開口部
Ｏ・・・・開放上面
Ｐ・・・・排水溝
Ｓ・・・・ゴムパッキン
Ｓａ・・・パッキン基部
Ｓｂ・・・パッキン先部
Ｔ・・・・溝蓋
Ｔｍ・・・蓋本体
Ｔｓ・・・側壁部
１・・・・溝本体
１ｅ・・・開口縁部
【図１】
2011157756.tif 000003
【図２】
2011157756.tif 000004
【図３】
2011157756.tif 000005